(57)【要約】【課題】情報端末においてモードを容易に切替えることができるようにする。【解決手段】デジタルカメラ１００におけるタッチパネル７０の表示モードは、操作ボタン８１に対する操作と着脱検出部の検出出力に基づいて、決定される。特に、非撮影モードでは、着脱検出部１６の検出出力（操作ペン２００の着脱状態）に応じて、表示モードが決定される。着脱検出部の検出出力がＯＮであれば、閲覧モードとされる。なお、このとき、操作ペン２００は、孔５１に装着されている。一方、着脱検出部の検出出力がＯＦＦであれば、編集モードとされる。なお、このとき、操作ペン２００は、孔５１から離脱している。【選択図】図１
2013247546.tif 000002
【特許請求の範囲】
【請求項１】
撮像手段を備えた情報端末であって、
前記情報端末の外郭の少なくとも一部を覆うカバーと、
前記カバーに対して着脱可能な部材の着脱状態を取得するための取得手段と、
表示手段と、
前記表示手段の表示態様を制御するための制御手段とを備え、
前記制御手段は、前記撮像手段によるファインダ画像を前記表示手段に表示させるファインダモードと、記憶手段に保存された画像を前記表示手段に表示させる閲覧モードと、前記記憶手段に保存された画像に対する編集画面を前記表示手段に表示させる編集モードとで動作が可能であり、
前記ファインダモードと、前記閲覧モードと、前記編集モードのうちの、１のモードと他の２つのモードとの間で前記制御手段が動作するモードを切り替えるために操作される入力手段をさらに備え、
前記制御手段は、前記取得手段が取得した状態が着状態か脱状態かに応じて、前記他の２つのモードのうちいずれのモードで動作するかを決定する、情報端末。
【請求項２】
前記制御手段は、
前記入力手段に対する入力に応じて、前記ファインダモードと、前記閲覧モードおよび前記編集モードとの間で動作するモードを切り替え、
前記取得手段が取得した状態が着状態である場合には、前記閲覧モードで動作し、
前記取得手段が取得した状態が脱状態である場合には、前記編集モードで動作する、請求項１に記載の情報端末。
【請求項３】
前記制御手段は、前記部材による前記表示手段に対するタッチ操作に応じて、前記編集モードにおける編集操作を受け付ける、請求項２に記載の情報端末。
【請求項４】
前記制御手段は、前記閲覧モードおよび前記編集モードの一方で動作しているときに、前記取得手段が取得した状態が切り替わった場合には、動作モードを、前記閲覧モードおよび前記編集モードの他方へ切り換える、請求項２または請求項３に記載の情報端末。
【請求項５】
撮像手段を備えた情報端末が実行する当該情報端末の制御方法であって、
前記情報端末は、
その外郭の少なくとも一部を覆うカバーと、表示手段と、外部から操作される入力手段とをさらに備え、
前記撮像手段によるファインダ画像を前記表示手段に表示させるファインダモードと、記憶手段に保存された画像を前記表示手段に表示させる閲覧モードと、前記記憶手段に保存された画像に対する編集画面を前記表示手段に表示させる編集モードとで動作が可能であり、
前記カバーに対して着脱可能な部材の着脱状態を取得するステップと、
前記入力手段に対する操作に応じて、前記ファインダモードと、前記閲覧モードと、前記編集モードのうちの、１のモードと他の２つのモードとの間で動作するモードを切り替えるステップとを実行し、
前記モードを切り替えるステップは、取得した前記状態が着状態か脱状態かに応じて、前記他の２つのモードのうちいずれのモードで動作するかを決定する、情報端末の制御方法。
【請求項６】
撮像手段を備えた情報端末のコンピュータによって実行される当該情報端末の制御プログラムであって、
前記情報端末は、
その外郭の少なくとも一部を覆うカバーと、表示手段と、外部から操作される入力手段とをさらに備え、
前記撮像手段によるファインダ画像を前記表示手段に表示させるファインダモードと、記憶手段に保存された画像を前記表示手段に表示させる閲覧モードと、前記記憶手段に保存された画像に対する編集画面を前記表示手段に表示させる編集モードとで動作が可能であり、
前記制御プログラムは、前記コンピュータに、
前記カバーに対して着脱可能な部材の着脱状態を取得するステップと、
前記入力手段に対する操作に応じて、前記ファインダモードと、前記閲覧モードと、前記編集モードのうちの、１のモードと他の２つのモードとの間で動作するモードを切り替えるステップとを実行させ、
前記モードを切り替えるステップは、取得した前記状態が着状態か脱状態かに応じて、前記他の２つのモードのうちいずれのモードで動作するかを決定する、情報端末の制御プログラム。
【発明の詳細な説明】
【技術分野】
【０００１】
本発明は、情報端末に関し、特に、当該情報端末本体に着脱可能な部材を用いて当該情報端末を操作することができる情報端末、その制御方法、および、その制御プログラムに関する。
【背景技術】
【０００２】
従来から、たとえば特許文献１（特開２００３−１３４３５９号公報）等に開示されているように、情報端末において、液晶表示装置（ＬＣＤ）等の表示装置を含むタッチパネルを、ファインダ画面や操作画面として備えるものがあった。
【０００３】
また、従来の情報端末には、特許文献２（特開２００８−１９１７９９号公報）に開示されているように、撮影して保存された画像を閲覧することができるものもあった。当該保存画像の閲覧の際には、ボタンを操作することにより、表示倍率の変更も可能であった。
【０００４】
さらに、近年の情報端末には、このような保存画像の閲覧に際し、タッチパネルに対するタッチ操作に応じて、表示倍率を変更させたり、表示位置を変更させたりすることができるものもある。
【０００５】
また、従来の情報端末には、特許文献３（特開２００３−２２４７５０号公報）に開示されているように、入力用のペンを用いて、編集操作を行うものもあった。
【０００６】
つまり、従来の情報端末は、ファインダ画像を表示させるモードの他に、保存画像を閲覧するモードや、保存画像を編集するモードで、動作が可能であった。
【先行技術文献】
【特許文献】
【０００７】
【特許文献１】特開２００３−１３４３５９号公報
【特許文献２】特開２００８−１９１７９９号公報
【特許文献３】特開２００３−２２４７５０号公報
【発明の概要】
【発明が解決しようとする課題】
【０００８】
従来の情報端末では、上記のようなモードの切替は、たとえば操作ボタンに対する操作に応じて、なされていた。なお、装置の小型化の要請から、情報端末に設けられる操作ボタンの数はなるべく少なくされることが好ましい。このことから、従来の情報端末では、１つの操作ボタンで、上記のような３以上のモードが順次切り替えられていた。
【０００９】
しかしながら、３以上のモードの切替を１つの操作ボタンで行う場合、切替前後のモードの組み合わせによっては、１回の切替のために、複数回操作ボタンを操作することを要する場合があった。
【００１０】
具体的には、たとえば、操作ボタンの操作回数に応じて、撮影モード（ファインダモード）、閲覧モード、編集モードの順にモードが切り替えられるように情報端末が作りこまれている場合であって、撮影モードから編集モードへとモードを切り替えるときには、当該切替のために、ユーザは、２回連続して操作ボタンを操作することを必要とされ、煩雑であった。
【００１１】
本発明は、かかる実情に鑑み考え出されたものであり、その目的は、情報端末においてモードを容易に切替えることができるようにすることである。
【課題を解決するための手段】
【００１２】
本発明に従った情報端末は、撮像手段を備えた情報端末であって、情報端末の外郭の少なくとも一部を覆うカバーと、カバーに対して着脱可能な部材の着脱状態を取得するための取得手段と、表示手段と、表示手段の表示態様を制御するための制御手段とを備え、制御手段は、撮像手段によるファインダ画像を表示手段に表示させるファインダモードと、記憶手段に保存された画像を表示手段に表示させる閲覧モードと、記憶手段に保存された画像に対する編集画面を表示手段に表示させる編集モードとで動作が可能であり、ファインダモードと、閲覧モードと、編集モードのうちの、１のモードと他の２つのモードとの間で制御手段が動作するモードを切り替えるために操作される入力手段をさらに備え、制御手段は、取得手段が取得した状態が着状態か脱状態かに応じて、他の２つのモードのうちいずれのモードで動作するかを決定することを特徴とする。
【００１３】
好ましくは、制御手段は、入力手段に対する入力に応じて、ファインダモードと、閲覧モードおよび編集モードとの間で動作するモードを切り替え、取得手段が取得した状態が着状態である場合には、閲覧モードで動作し、取得手段が取得した状態が脱状態である場合には、編集モードで動作する。
【００１４】
好ましくは、制御手段は、部材による表示手段に対するタッチ操作に応じて、編集モードにおける編集操作を受け付ける。
【００１５】
好ましくは、制御手段は、閲覧モードおよび編集モードの一方で動作しているときに、取得手段が取得した状態が切り替わった場合には、動作モードを、閲覧モードおよび編集モードの他方へ切り換える。
【００１６】
本発明に従った情報端末の制御方法は、撮像手段を備えた情報端末が実行する当該情報端末の制御方法であって、情報端末は、その外郭の少なくとも一部を覆うカバーと、表示手段と、外部から操作される入力手段とをさらに備え、撮像手段によるファインダ画像を表示手段に表示させるファインダモードと、記憶手段に保存された画像を表示手段に表示させる閲覧モードと、記憶手段に保存された画像に対する編集画面を表示手段に表示させる編集モードとで動作が可能であり、カバーに対して着脱可能な部材の着脱状態を取得するステップと、入力手段に対する操作に応じて、ファインダモードと、閲覧モードと、編集モードのうちの、１のモードと他の２つのモードとの間で動作するモードを切り替えるステップとを実行し、モードを切り替えるステップは、取得した状態が着状態か脱状態かに応じて、他の２つのモードのうちいずれのモードで動作するかを決定することを特徴とする。
【００１７】
本発明に従った情報端末の制御プログラムは、撮像手段を備えた情報端末のコンピュータによって実行される当該情報端末の制御プログラムであって、情報端末は、その外郭の少なくとも一部を覆うカバーと、表示手段と、外部から操作される入力手段とをさらに備え、撮像手段によるファインダ画像を表示手段に表示させるファインダモードと、記憶手段に保存された画像を表示手段に表示させる閲覧モードと、記憶手段に保存された画像に対する編集画面を表示手段に表示させる編集モードとで動作が可能であり、制御プログラムは、コンピュータに、カバーに対して着脱可能な部材の着脱状態を取得するステップと、入力手段に対する操作に応じて、ファインダモードと、閲覧モードと、編集モードのうちの、１のモードと他の２つのモードとの間で動作するモードを切り替えるステップとを実行させ、モードを切り替えるステップは、取得した状態が着状態か脱状態かに応じて、他の２つのモードのうちいずれのモードで動作するかを決定することを特徴とする。
【発明の効果】
【００１８】
本発明によれば、ファインダモードと、閲覧モードと、編集モードのうち、１のモードと他の２つのモードとの間の動作モードの切り替えを入力手段に対する入力に基づいて行い、当該他の２つのモードのうちいずれのモードで動作するかは、部材の着脱状態に応じて行う。
【００１９】
これにより、ユーザは、３つの動作モードの間でのモードの切替に際して、同じ操作ボタンを２回連続で操作するという煩雑な操作を必要とされることがなくなる。
【図面の簡単な説明】
【００２０】
【図１】本発明の情報端末の一実施の形態であるデジタルカメラの外観を模式的に示す図である。
【図２】図１のデジタルカメラの孔における操作ペンの収納を説明するための図である。
【図３】図１のデジタルカメラのハードウェア構成を模式的に示す図である。
【図４】図１の非撮影モードにおける表示モードの決定態様を説明するための図である。
【図５】デジタルカメラにおいてタッチパネル制御部が実行する表示モード決定処理のフローチャートである。
【図６】図１のデジタルカメラの変形例の外観を模式的に示す図である。
【図７】図１のデジタルカメラのハードウェア構成の変形例を示す図である。
【発明を実施するための形態】
【００２１】
以下、本発明の携帯端末、被制御装置、および、情報出力システムの実施の形態について、図面を参照して説明する。なお、以下の説明において、同一の機能および作用を有する要素については、各図を通して同じ符号を付し、重複する説明を繰返さない。
【００２２】
［情報端末の外観］
図１は、本発明の情報端末の一実施の形態であるデジタルカメラ１００の外観を模式的に示す図である。図１の（Ａ）には、デジタルカメラ１００の正面図が示され、図１の（Ｂ）には、デジタルカメラ１００の背面図が示されている。
【００２３】
図１を参照して、デジタルカメラ１００は、その外郭がカバー５０によって覆われている。また、その前面にはレンズ６０が設けられている。カバー５０内のレンズ６０の奥には、ＣＣＤイメージセンサ（Charge  Coupled  Device  Image  Sensor）等の固定撮像素子を含む撮像手段が搭載されている。
【００２４】
デジタルカメラ１００の裏面には、上記撮像手段による撮影におけるファインダ画像等を表示するためのタッチパネル７０が設けられている。ファインダ画像とは、上記撮像手段によってその時点で撮影されている画像であり、スルー画像ともいう。ファインダ画像の表示は、逐次更新される。
【００２５】
また、タッチパネル７０の横には、ハードウェアボタンからなる操作ボタン８１，８２，８３，８４が設けられている。デジタルカメラ１００では、タッチパネル７０に表示されるソフトウェアボタンおよび／または操作ボタン８１〜８４が操作されることにより、操作情報が入力される。
【００２６】
［操作ペンの収納］
カバー５０の下面には、スタイラスペン（後述する操作ペン２００）を収納するための孔５１が設けられている。図２は、孔５１における操作ペン２００の収納を説明するための図である。
【００２７】
図２には、カバー５０の内部のうち、孔５１の近傍の部分が、模式的に示されている。図２では、操作ペン２００は孔５１内に収納されている。操作ペン２００は、その上部に凸部２００Ａを有している。孔５１の内部には、複数の方向からそれぞれ内部に突き出した凸部５２Ａ，５２Ｂが設けられている。操作ペン２００の凸部２００Ａと孔５１内の凸部５２Ａ，５２Ｂは、いずれも柔軟な樹脂等の素材によって構成されている。
【００２８】
操作ペン２００は、その凸部２００Ａが凸部５２Ａ，５２Ｂに引っかかることにより、孔５１内で保持される。
【００２９】
孔５１内に保持された状態で、操作ペン２００の下端は、若干、孔５１からはみ出ている。ユーザが、当該はみ出ている部分を持って下方に操作ペン２００を引き抜くことにより、凸部２００Ａと凸部５２Ａ，５２Ｂの嵌合が解除されて、操作ペン２００は孔５１から離脱する。
【００３０】
孔５１の上端には、着脱検出部１６が設けられている。着脱検出部１６は、たとえば、特定の距離以内に物体が存在するか否かを検出するための近接センサによって実現される。着脱検出部１６の検出出力は、操作ペン２００が図２に示されるように孔５１内に保持されているときはＯＮであり、操作ペン２００が孔５１から離脱されるとＯＦＦになる。つまり、着脱検出部１６の検出出力は、操作ペン２００の孔５１における着脱状態に応じて切り替わる。
【００３１】
［情報端末のハードウェア構成］
図３は、デジタルカメラ１００のハードウェア構成を模式的に示す図である。
【００３２】
図３を参照して、デジタルカメラ１００は、タッチパネル７０の動作を制御するタッチパネル制御部１１と、上記した撮像手段によって実現される撮像部１５と、記憶装置によって実現されるメモリ部１４と、着脱検出部１６とを含む。
【００３３】
タッチパネル７０は、モニタとタッチセンサとを含む。タッチパネル制御部１１は、上記モニタの表示内容を制御する表示制御部１２に対して、表示を制御するための信号を出力する。また、タッチパネル制御部１１は、上記タッチセンサに対するタッチ操作の内容（タッチ位置等）を検出する接触検出部１３から、検出出力を入力される。
【００３４】
タッチパネル制御部１１は、ＣＰＵ（Central  Processing  Unit）等のプロセッサを含み、当該プロセッサがメモリ部１４に格納されたプログラムを実行することによって実現される。タッチパネル制御部１１が実行するプログラムは、デジタルカメラ１００に固定された記憶装置に格納されていても良いし、デジタルカメラ１００（カバー５０）に対して着脱可能な記憶媒体に格納されていても良い。
【００３５】
このような記憶媒体としては、ＣＤ−ＲＯＭ（Compact  Disk  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disk）、ＭＤ（Mini  Disk）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read  Only  Memory）などの、不揮発的にプログラムを格納する媒体が挙げられる。
【００３６】
デジタルカメラ１００において、タッチパネル制御部１１、メモリ部１４、撮像部１５、および、着脱検出部１６は、バス１０を介して接続されている。
【００３７】
［情報端末の動作モードの切替］
デジタルカメラ１００の動作モードには、大別すると、撮像部１５による撮影を行うモード（撮影モード）と、保存画像を閲覧したり編集したりするモード（非撮影モード）とがある。また、非撮影モードには、メモリ部１４に格納された画像について、閲覧を行うための閲覧モードと、色補正やトリミング等の編集を行うための編集モードがある。
【００３８】
タッチパネル制御部１１は、撮影モードでは、タッチパネル７０のモニタにファインダ画像を表示させる。このときの表示モードを、ファインダモードと呼ぶ。
【００３９】
また、タッチパネル制御部１１は、閲覧モードでは、メモリ部１４等に保存された画像をタッチパネル７０に表示させるとともに、タッチパネル７０に対するタッチ操作や操作ボタン８１〜８４に対する操作に基づいて、当該画像の表示位置を移動させたり表示倍率を変更したりする。
【００４０】
また、タッチパネル制御部１１は、編集モードでは、メモリ部１４等に保存された画像をタッチパネル７０に表示させるとともに、タッチパネル７０に対するタッチ操作や操作ボタン８１〜８４に対する操作に基づいて、当該画像の編集のための処理を実行する。また、タッチパネル７０に、画像の編集のためのツールのアイコンが表示される場合もあり得る。
【００４１】
以上のように、デジタルカメラ１００では、タッチパネル７０の表示モードとして、ファインダモードと、閲覧モードと、編集モードの、３つのモードがある。
【００４２】
そして、デジタルカメラ１００では、操作ボタン８１を押下されることにより、撮影モードと非撮影モードの間で動作モードが切替えられる。つまり、タッチパネル７０の表示モードが閲覧モードまたは編集モードであるときに操作ボタン８１が押下されると、ファインダモードへと表示モードが切り替えられ、タッチパネル７０には撮像部１５によって撮影されている画像が表示される。
【００４３】
なお、デジタルカメラ１００の動作モードとは、タッチパネル７０の表示制御を含む、種々の制御内容を規定するものである。撮影モードでは、撮像部１５によって撮影された静止画像や動画像が、適宜メモリ部１４に格納される。非撮影モードでは、それ以外の動作が実行される。それ以外の動作とは、たとえば、画像（静止画と動画とを問わない）の再生や編集などが挙げられる。
【００４４】
一方、タッチパネル７０の表示モードがファインダモードにあるときに操作ボタン８１が押下されると、当該表示モードは、閲覧モードまたは編集モードへと移行する。いずれに移行するかは、着脱検出部１６の検出出力に基づいて決定される。
【００４５】
図４は、非撮影モードにおける表示モードの決定態様を説明するための図である。
図４の（Ａ）では、図２に示されるように操作ペン２００が孔５１に収納されている状態が示されている。この状態では、操作ペン２００の上端が着脱検出部１６の検出範囲内に位置し、着脱検出部１６の検出出力はＯＮになる。これにより、タッチパネル７０の表示モードは閲覧モードとなる。
【００４６】
図４の（Ａ）に示された状態では、タッチパネル７０には、メモリ部１４に保存された画像が画像ＩＭＧとして表示されている。閲覧モードでは、タッチパネル７０に対する操作に応じて、タッチパネル制御部１１は、タッチパネル７０における表示内容を制御する。
【００４７】
具体的には、たとえば、タッチパネル７０に対して、図４の（Ａ）に示されるようにユーザの手Ｈ（指）によって矢印Ａ１の向きにフリック操作がなされると、これに応じて、タッチパネル制御部１１は、画像ＩＭＧの表示位置を、矢印Ａ１の向きに、フリック操作においてタッチパネル７０に指が接触していた距離に応じた距離だけ、移動させる。
【００４８】
また、タッチパネル制御部１１は、タッチパネル７０に対する操作に応じて、画像ＩＭＧの表示倍率を変更する場合もある。
【００４９】
表示倍率を変更させるための操作としては、たとえば、「ピンチイン」や「ピンチアウト」と呼ばれるものがある。「ピンチイン」とは、２本の指をタッチパネル７０上に載せて、当該２本の指の間隔を縮める操作を言う。「ピンチアウト」とは、２本の指をタッチパネル７０上に載せて、当該２本の指の間隔を広げる操作を言う。タッチパネル制御部１１は、たとえば、ピンチインに応じて画像ＩＭＧを縮小させ、ピンチアウトに応じて画像ＩＭＧを拡大させる。
【００５０】
図４の（Ｂ）では、操作ペン２００の孔５１における収納が解除されつつある状態が示されている。この状態では、操作ペン２００の上端は、着脱検出部１６の検出範囲外に位置し、着脱検出部１６の検出出力はＯＦＦになる。これにより、タッチパネル７０の表示モードは編集モードとなる。
【００５１】
図４の（Ｂ）に示された状態（つまり、操作ペン２００が孔５１から抜き出される途中の状態）に限らず、操作ペン２００が完全に孔５１から抜き出されたときも、タッチパネル７０の表示モードは編集モードとされる。
【００５２】
図４の（Ｂ）に示された状態では、タッチパネル７０には、メモリ部１４に保存された画像が画像ＩＭＧとして表示されている。編集モードでは、タッチパネル７０には、さらに画像ＩＭＧの編集のためのツールを表す１以上のアイコンを含むツールパレット８５が表示されている。タッチパネル制御部１１は、ツールパレット８５への操作を含むタッチパネル７０に対する操作や、操作ボタン８１〜８４に対する操作の内容に応じて、上記画像に対する編集処理を実行する。編集処理は、画像のトリミングや色の調整、拡大／縮小などを含む。また、編集処理は、編集後の画像の保存のための処理を含む。
【００５３】
［表示モード決定処理］
図５は、デジタルカメラ１００においてタッチパネル制御部１１がタッチパネル７０の表示モードを決定するために実行する処理（表示モード決定処理）のフローチャートである。タッチパネル制御部１１は、たとえば、電源をＯＮされた後、もしくは、電源をＯＮされてメニュー画面等の初期画面が表示された後に画像の撮影や再生のためのメニューが選択された後、表示モード決定処理を実行する。なお、タッチパネル制御部１１は、撮像処理や編集操作を受け付ける処理と並行して、表示モード決定処理を実行する。
【００５４】
表示モード決定処理では、タッチパネル制御部１１は、操作ボタン８１が操作されたか否かを判断し、操作されたと判断するとステップＳ１０へ処理を進める。
【００５５】
ステップＳ１０では、タッチパネル制御部１１は、現在の表示モードがファインダモードであるか否かを判断し、そうであると判断するとステップＳ４０へ処理を進め、ファインダモード以外）であると判断するとステップＳ３０へ処理を進める。
【００５６】
ステップＳ３０では、タッチパネル制御部１１は、表示モードをファインダモードに設定する。これにより、デジタルカメラ１００では、タッチパネル７０は、撮像部１５のファインダとして利用される。ステップＳ２０およびステップＳ３０の処理により、デジタルカメラ１００では、表示モードが閲覧モードまたは編集モードであるときに操作ボタン８１が操作されると、表示モードはファインダモードへと移行する。
【００５７】
一方、ステップＳ４０では、タッチパネル制御部１１は、操作ペン２００が孔５１に装着されているか否かが判断される。具体的には、タッチパネル制御部１１は、着脱検出部１６の検出出力をチェックする。そして、タッチパネル制御部１１は、操作ペン２００が装着されている（つまり、着脱検出部１６の検出出力がＯＮ）と判断すると、ステップＳ５０へ処理を進める。また、タッチパネル制御部１１は、操作ペン２００が装着されていない（つまり、着脱検出部１６の検出出力がＯＦＦである）と判断すると、ステップＳ６０へ処理を進める。
【００５８】
ステップＳ５０では、タッチパネル制御部１１は、タッチパネル７０の表示モードを、図４の（Ａ）を参照して説明した閲覧モードに移行させる。
【００５９】
ステップＳ６０では、タッチパネル制御部１１は、タッチパネル７０の表示モードを、図４の（Ｂ）を参照して説明した編集モードに移行させる。
【００６０】
ステップＳ３０，ステップＳ５０，ステップＳ６０のそれぞれにおいて表示モードを決定した後、タッチパネル制御部１１は、再度、ステップＳ１０に処理を戻し、操作ボタン８１に対する操作を待つ。なお、タッチパネル制御部１１は、各表示モードでは、それぞれのモードに従った表示制御を実行する。
【００６１】
ファインダモードでは、タッチパネル制御部１１は、撮像部１５によって撮影された画像を逐次更新しつつタッチパネル７０に表示する。
【００６２】
閲覧モードでは、タッチパネル制御部１１は、ユーザがタッチパネル７０に対する操作等によって指定した画像、または、撮像部１５が撮影した最新の画像をタッチパネル７０に表示させる。また、タッチパネル制御部１１は、当該表示の態様を、タッチパネル７０や操作ボタン８１〜８４に対する操作に応じて変更する。
【００６３】
編集モードでは、タッチパネル制御部１１は、ユーザがタッチパネル７０に対する操作等によって指定した画像、または、撮像部１５が撮影した最新の画像をタッチパネル７０に表示し、そして、当該画像に対する編集操作を受け付ける。また、タッチパネル制御部１１は、当該画像の保存データを、ユーザからの操作内容に従って適宜更新する。
【００６４】
デジタルカメラ１００では、接触検出部１３は、操作ペン２００によってタッチパネル７０がタッチされた場合でも、ユーザの指によるタッチと同様に、タッチを検出する。つまり、デジタルカメラ１００では、ユーザは、操作ペン２００によっても、タッチパネル７０に対する入力が可能である。
【００６５】
以上説明した本実施の形態では、デジタルカメラ１００におけるタッチパネル７０の表示モードは、操作ボタン８１に対する操作と着脱検出部１６の検出出力に基づいて、決定される。特に、非撮影モードでは、着脱検出部１６の検出出力（操作ペン２００の着脱状態）に応じて、表示モードが決定される。
【００６６】
着脱検出部１６の検出出力がＯＮであれば、閲覧モードとされる。なお、このとき、操作ペン２００は、図２を参照して説明したように、孔５１に装着されている。
【００６７】
一方、着脱検出部１６の検出出力がＯＦＦであれば、編集モードとされる。なお、このとき、操作ペン２００は、孔５１から離脱している。
【００６８】
つまり、デジタルカメラ１００では、非撮影モードにおいて、ユーザが操作ペン２００を手に持っていれば、着脱検出部１６の検出出力はＯＦＦとなるため、表示モードが編集モードになる。一方、非撮影モードにおいて、ユーザが操作ペン２００を手に持たず、操作ペン２００が孔５１に収納された状態であれば、着脱検出部１６の検出出力はＯＮとなるため、表示モードが閲覧モードになる。
【００６９】
したがって、デジタルカメラ１００では、ユーザが編集のための操作に操作ペン２００を手に持っているか否かに応じて、非撮影モードにおける表示モードを決定できる。つまり、ユーザの状態が、表示モードの決定に反映されることになる。
【００７０】
［表示モードの決定態様の変形例］
また、本実施の形態では、図５を参照して説明したように、操作ボタン８１に対する操作があったことに起因して、表示モードが決定されているが、次のように変更されても良い。
【００７１】
つまり、閲覧モードまたは編集モードでは、タッチパネル制御部１１は、操作ペン２００の装着状態（着脱検出部１６の検出出力等）を、常に（または一定時間ごとに）チェックしている。そして、操作ペン２００の装着状態が着状態と脱状態の間で変更されると、当該変更後の状態に応じて表示モードを変更する。
【００７２】
たとえば、閲覧モード中に操作ペン２００が孔５１から抜き出された場合には、デジタルカメラ１００は画像を編集するモードに移行し、タッチパネル制御部１１は表示モードを編集モードへと移行させる。
【００７３】
また、編集モード中に操作ペン２００が孔５１に装着された場合には、デジタルカメラ１００は画像を閲覧するモードに移行し、タッチパネル制御部１１は表示モードを閲覧モードへと移行させる。
【００７４】
［その他の変形例等］
以上説明した本実施の形態では、デジタルカメラ１００では、操作ペン２００は、その大部分が孔５１の内部に挿入される態様で、カバー５０に収納されていた。しかしながら、操作ペン２００の収納態様はこれに限定されない。
【００７５】
図６は、デジタルカメラ１００の変形例の外観を模式的に示す図である。
図６の（Ａ）には、ユーザが、一方の手Ｈ１でデジタルカメラ１００を保持し、他方の手Ｈ２で操作ペン２００を持ち、タッチパネル７０に対する入力を行っている状態が示されている。
【００７６】
本変形例のデジタルカメラ１００では、カバー５０の上部に、操作ペン２００を装着するためのキャップ５１Ａが連結されている。キャップ５１Ａ内には着脱検出部１６が収納されている。
【００７７】
図６の（Ｂ）には、本変形例の操作ペン２００の先端部２００Ｂがキャップ５１Ａに嵌合されることにより、操作ペン２００がキャップ５１Ａに装着された状態が示されている。先端部２００Ｂの外面とキャップ５１Ａの内面に、互いに対応するようにネジ溝が形成されている。先端部２００Ｂがキャップ５１Ａにねじ込まれることにより、図６の（Ｂ）の状態では、操作ペン２００はキャップ５１Ａに装着される。
【００７８】
本変形例では、キャップ５１Ａは、カバー５０に連結されている。これにより、本変形例では、操作ペン２００は、キャップ５１Ａに装着されることにより、カバー５０に装着される。
【００７９】
なお、本変形例では、操作ペン２００は、その先端部２００Ｂのみがキャップ５１Ａ内に収納され、その大部分は収納されていない。
【００８０】
本変形例では、図６の（Ｂ）に示されるようにキャップ５１Ａに操作ペン２００が装着されると、着脱検出部１６の検出出力はＯＮとなる。一方、図６の（Ａ）に示されるように当該装着が解除されると、着脱検出部１６の検出出力はＯＦＦとなる。
【００８１】
本変形例では、タッチパネル制御部１１と着脱検出部１６とは、有線でまたは無線で、通信する。なお、着脱検出部１６は、その検出出力を外部のサーバに送信し、タッチパネル制御部１１は当該サーバから着脱検出部１６の検出出力を読み出すことにより、表示モードの制御を行っても良い。
【００８２】
このようにサーバと通信する場合、デジタルカメラ１００のハードウェア構成は、図７に示されるように変更される。
【００８３】
図７のデジタルカメラ１００は、着脱検出部１６の代わりに、モデム等によって実現される通信部１７を備える。着脱検出部１６は、サーバ５００に、当該着脱検出部１６の検出出力を送信する。タッチパネル制御部１１は、通信部１７を介してサーバ５００と通信することにより、着脱検出部１６の検出出力を取得する。
【００８４】
このような変形例では、通信部１７により、カバーに対して着脱可能な部材の着脱状態を取得するための取得手段が構成される。
【００８５】
今回開示された実施の形態およびその変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８６】
また、実施の形態およびその変形例において開示された技術は、可能な限り単独でも組み合わせても実施され得ることが意図される。
【符号の説明】
【００８７】
１０  バス、１１  タッチパネル制御部、１２  表示制御部、１３  接触検出部、１４  メモリ部、１５  撮像部、１６  着脱検出部、１７  通信部、５０  カバー、５１  孔、５１Ａ  キャップ、５２Ａ，５２Ｂ，２００Ａ  凸部、６０  レンズ、７０  タッチパネル、８１〜８４  操作ボタン、８５  ツールパレット、１００  デジタルカメラ、２００  操作ペン、２００Ｂ  先端部。
【図１】
2013247546.tif 000003
【図２】
2013247546.tif 000004
【図３】
2013247546.tif 000005
【図４】
2013247546.tif 000006
【図５】
2013247546.tif 000007
【図６】
2013247546.tif 000008
【図７】
2013247546.tif 000009